(57)【要約】【課題】携帯端末を用いてキオスク端末のサービスを利用する際の課金及び／又は携帯端末の認証を、管理サーバを用いて管理できるようにすること。【解決手段】デジタルカメラ１００に配置される所定の操作ボタンの操作に応答して、デジタルカメラ１００が携帯電話機２００に接続要求を送信し（ステップＳ１４）、携帯電話機２００が該接続要求の受信に応答して管理サーバ３００に対して接続要求を送信し（ステップＳ１６）、管理サーバ３００が、該接続要求の受信に応答して、課金の可否判断及び／又は上記携帯電話機２００の認証処理の可否判断を行い、課金を行うと判断した場合及び／又は携帯電話機２００の認証処理を行うと判断した場合には、キオスク端末４００に接続要求を行い（ステップＳ２４）、該記キオスク端末が該接続要求の受信に応答してデジタルカメラ１００との間で通信接続を確立する（ステップＳ２６〜Ｓ４０）。【選択図】図２
2010250429.tif 000002
【特許請求の範囲】
【請求項１】
情報端末と、携帯端末と、上記携帯端末の利用に対する課金及び／又は上記携帯端末の認証を管理する管理サーバと、サービスを提供するキオスク端末と、を有する課金及び／又は認証システムにおいて、上記情報端末を用いて上記キオスク端末のサービスを利用する際の課金及び／又は携帯端末の認証を、上記管理サーバを用いて管理する課金及び／又は認証管理方法であって、
上記情報端末に配置される所定の操作部の操作に応答して、上記情報端末が上記携帯端末に第１の接続要求を送信する第１の接続要求送信ステップと、
上記携帯端末が、上記第１の接続要求の受信に応答して、上記管理サーバに対して第２の接続要求を送信する第２の接続要求送信ステップと、
上記管理サーバが、上記第２の接続要求の受信に応答して、課金の可否判断及び／又は上記携帯端末の認証処理の可否判断を行う判断ステップと、
上記管理サーバが、上記判断ステップにおいて、課金を行うと判断した場合及び／又は携帯端末の認証処理を行うと判断した場合には、上記キオスク端末に第３の接続要求を行う第３の接続要求送信ステップと、
上記キオスク端末が、上記第３の接続要求の受信に応答して、上記情報端末との間で通信接続を確立する第１の接続確立ステップと、
を有することを特徴とする課金及び／又は認証管理方法。
【請求項２】
上記課金及び／又は認証管理システムは、上記情報端末と無線接続するための上記キオスク端末に接続されたアクセスポイントを更に含み、
上記第１の通信接続確立ステップは、
上記キオスク端末と上記アクセスポイントとの間で通信接続を行う第２の接続確立ステップと、
上記アクセスポイントと上記情報端末との間で無線接続を行う第３の接続確立ステップと、
を含むことを特徴とする請求項１に記載の課金及び／又は認証管理方法。
【請求項３】
上記管理サーバが、上記判断ステップの判断結果を上記携帯端末に送信する判断結果送信ステップと、
上記携帯端末が、上記判断ステップの判断結果の受信に応答して、上記判断ステップにおける判断結果を表示する表示ステップと、
を更に含むことを特徴とする請求項１に記載の課金及び／又は認証管理方法。
【発明の詳細な説明】
【技術分野】
【０００１】
本発明は、デジタルカメラ等の情報端末と、携帯電話機等の携帯端末と、上記携帯端末の利用に対する課金及び／又は上記携帯端末の認証を管理する管理サーバと、サービスを提供するキオスク端末と、を有する課金及び／又は認証システムにおける課金及び／又は認証管理方法に関する。
【背景技術】
【０００２】
デジタルカメラで撮影した画像は、有線又は無線通信によりパーソナルコンピュータ（以下、ＰＣと略記する）に送信し、そのＰＣで加工されたりデータベースに蓄積されて、検索／利用されることが行われている。
【０００３】
一方、近年、デジタルカメラで撮影した画像の出力機器として、写真プリントサービスなどの情報通信端末（キオスク端末）が利用されるようになってきた。このキオスク端末を利用することで、外出先であっても撮影画像を写真としてプリント出力できる。また、該キオスク端末より管理サーバに撮影画像を送信して、そこに保管したり、撮影画像をプリントアウトして自宅に郵送や宅配することも可能となっている。
【０００４】
また、デジタルカメラで撮影した画像を携帯電話機に無線ＬＡＮ等により送信し、該携帯電話機から電子メールの添付ファイルとしてメールサーバに送信する技術が特許文献１に提案されている。この技術により、撮影画像をキオスク端末を介することなく管理サーバに送信して、保管或いはプリントアウトするという利用法も考えられる。
【先行技術文献】
【特許文献】
【０００５】
【特許文献１】特開２００２−１９１０７７号公報
【発明の概要】
【発明が解決しようとする課題】
【０００６】
しかしながら、上記特許文献１に開示されているような手法では、画像という大容量のデータを送信するため、その送信容量がかさむこととなる。携帯電話機等の携帯端末のインターネット使用料金は、ＰＣ等での通常のインターネット接続料金に加えて割高であるばかりか、一般に、送受信されるデータ量で課金されるので、多数の画像を送信するには適していない。
【０００７】
一方、キオスク端末を利用すれば、枚数単位の料金となるため、画像データのサイズにはそれほど影響されず、安価に画像データを送信することができる。しかしながら、キオスク端末では、その都度料金を支払わなければならず、ユーザにとっては面倒であるという問題がある。また、例えば月単位といった所定期間分の利用料金を一括して支払えるようにするためには、何らかの利用者の認証処理が必要となり、その認証処理にも面倒な操作が必要となる。
【０００８】
携帯電話機では、その端末番号により一意にユーザを特定できるため、管理サーバで携帯電話機によるサービス利用に対する課金を管理したり及び／又は携帯電話機の認証を管理したりすることが行われている。
【０００９】
しかし、この携帯電話機の端末番号によるユーザ特定機能を用いた課金及び／又は認証手法をキオスク端末の提供するサービスで利用できるようにする提案は未だなされていない。
【００１０】
本発明は、上記の点に鑑みてなされたもので、携帯電話機等の携帯端末を用いてキオスク端末のサービスを利用する際の課金及び／又は携帯端末の認証を、管理サーバを用いて管理することが可能な課金及び／又は認証管理方法を提供することを目的とする。
【課題を解決するための手段】
【００１１】
本発明の課金及び／又は認証管理方法の一態様は、
情報端末と、携帯端末と、上記携帯端末の利用に対する課金及び／又は上記携帯端末の認証を管理する管理サーバと、サービスを提供するキオスク端末と、を有する課金及び／又は認証システムにおいて、上記情報端末を用いて上記キオスク端末のサービスを利用する際の課金及び／又は携帯端末の認証を、上記管理サーバを用いて管理する課金及び／又は認証管理方法であって、
上記情報端末に配置される所定の操作部の操作に応答して、上記情報端末が上記携帯端末に第１の接続要求を送信する第１の接続要求送信ステップと、
上記携帯端末が、上記第１の接続要求の受信に応答して、上記管理サーバに対して第２の接続要求を送信する第２の接続要求送信ステップと、
上記管理サーバが、上記第２の接続要求の受信に応答して、課金の可否判断及び／又は上記携帯端末の認証処理の可否判断を行う判断ステップと、
上記管理サーバが、上記判断ステップにおいて、課金を行うと判断した場合及び／又は携帯端末の認証処理を行うと判断した場合には、上記キオスク端末に第３の接続要求を行う第３の接続要求送信ステップと、
上記キオスク端末が、上記第３の接続要求の受信に応答して、上記情報端末との間で通信接続を確立する第１の接続確立ステップと、
を有することを特徴とする。
【発明の効果】
【００１２】
本発明によれば、携帯端末を用いてキオスク端末のサービスを利用する際の課金及び／又は携帯端末の認証を、管理サーバを用いて管理することが可能な課金及び／又は認証管理方法を提供することができる。
【図面の簡単な説明】
【００１３】
【図１】図１（Ａ）は、本発明の一実施形態に係る課金及び／又は認証管理方法が適用された課金及び／又は認証システムの構成を示す図であり、図１（Ｂ）は、該課金及び／又は認証システムのより詳細な構成を示す図である。
【図２】図２は、課金及び／又は認証システムにおける情報端末としてのデジタルカメラと、携帯端末としての携帯電話機と、管理サーバと、キオスク端末と、アクセスポイントとの間の通信プロセスを示す図である。
【発明を実施するための形態】
【００１４】
以下、本発明を実施するための形態を図面を参照して説明する。
【００１５】
本発明の一実施形態に係る課金及び／又は認証管理方法が適用された課金及び／又は認証システムは、図１（Ａ）に示すように、情報端末としてのデジタルカメラ１００と、携帯端末としての携帯電話機２００と、上記携帯電話機２００の利用に対する課金及び／又は上記携帯電話機の認証を管理する管理サーバ３００と、サービスを提供するキオスク端末４００と、から構成される。また、無線通信機能を持たないキオスク端末４００でもデジタルカメラ１００と無線通信可能とするためのアクセスポイント５００を含む。
【００１６】
デジタルカメラ１００は、無線通信機能を持ち、写真画像を記録する記憶媒体が内蔵されている。携帯電話機２００は、無線通信機能とインターネット接続機能を備え、デジタルカメラ１００の接続要求を検出して、管理サーバ３００に接続要求を行うためのアプリケーションがインストールされている。キオスク端末４００は、アクセスポイント５００を介して上記デジタルカメラ１００と無線により接続する通信機能と、上記デジタルカメラ１００の記憶媒体に記録された写真画像を表示して、ネットワーク経由で他の管理サーバ３００に各種情報を問い合わせる機能とを備えた機器である。このキオスク端末４００は、各地の店舗等に設置されるものであるが、図１（Ａ）では、図面の簡略化のために代表して一つのみを示している。管理サーバ３００は、携帯電話機２００の端末番号を利用してユーザを特定して課金管理及び／又は認証管理を行う機能や、コンテンツ管理、写真画像の一時保管管理、写真の印刷などの機能を備え、上記ネットワークを介してキオスク端末４００によって制御される機器である。
【００１７】
上記デジタルカメラ１００は、具体的には、図１（Ｂ）に示すように、カメラ機能部１１０、情報端末部１２０、アンテナ１３０、記憶媒体１４０、デジタル／アナログ変換機１５０、スピーカ１６０、及びＬＡＮコネクタ１７０から構成されている。
【００１８】
カメラ機能部１１０は、撮影レンズや撮像素子等を含む撮像モジュール１１１と、該撮像モジュール１１１で得られた画像信号に対してガンマ補正やホワイトバランス等の信号処理を施したり、圧縮処理等を行う画像エンジンＬＳＩ１１２と、を含む。
【００１９】
情報端末部１２０は、ＣＰＵやメモリから構成されるサービス（アプリケーション）実行部１２１と、該サービス実行部１２１に接続された操作部１２２、ＬＥＤ１２３、ＩｒＤＡ１２４、無線ＬＡＮモジュール１２５、及び表示機ＬＣＤ１２６とからなる。
【００２０】
ここで、サービス実行部１２１は、一つ以上のサービス（アプリケーション）を実行すると共に、情報端末部１２０の各種機能を制御するものである。なお、このサービス実行部１２１は、ＣＰＵ内、あるいは外部不揮発性メモリ等に格納されている情報処理プログラムをＣＰＵで順次処理していくことで、情報端末部１２０が有する各種機能を実現するように構成されている。操作部１２２は、シャッタ釦や十字釦等のユーザが操作する部材である。ＬＥＤ１２３は、ユーザに当該デジタルカメラ１００の状態を告知するための発光部である。ＩｒＤＡ１２４は、赤外線により外部に情報を発信するための赤外光の発光部である。無線ＬＡＮモジュール１２５は、アンテナ１３０を使用してキオスク端末４００と無線通信を行うものである。表示機ＬＣＤ１２６は、上記カメラ機能部１１０で撮像した写真画像を表示したり、操作部１２２の操作に応じてメニューや各種情報を表示するものである。
【００２１】
記憶媒体１４０は、上記カメラ機能部１１０で撮像した写真画像を保存するためのメモリカード等であり、該デジタルカメラ１００に内蔵して取り外しができないものであっても良いし、該デジタルカメラ１００に対して着脱自在なものであっても構わない。
【００２２】
デジタル／アナログ変換機１５０は、サービス実行部１２１で発生した、ユーザに当該デジタルカメラ１００の状態を告知するためのメッセージをアナログの音声信号に変換して、スピーカ１６０によって発声するためのものである。
【００２３】
そして、ＬＡＮコネクタ１７０は、ケーブルによりインターネット等のネットワークに有線接続するためのものである。
【００２４】
また、キオスク端末４００は、具体的には、図１（Ｂ）に示すように、情報端末部４１０、プリンタ４２０、及びＬＡＮコネクタ４３０から構成されている。
【００２５】
情報端末部４１０は、ＣＰＵやメモリから構成されるサービス（アプリケーション）実行部４１１と、該サービス実行部４１１に接続された操作部４１２、ＬＥＤ４１３、ＩｒＤＡ受信部４１４、及び表示機ＬＣＤ４１５とからなる。
【００２６】
ここで、サービス実行部１２１は、一つ以上のサービス（アプリケーション）を実行すると共に、情報端末部４１０の各種機能を制御するものである。なお、このサービス実行部４１１は、ＣＰＵ内、あるいは外部不揮発性メモリ等に格納されている情報処理プログラムをＣＰＵで順次処理していくことで、情報端末部４１０が有する各種機能を実現するように構成されている。操作部４１２は、各種釦等のユーザが操作する部材である。ＬＥＤ４１３は、ユーザに当該キオスク端末４００の状態を告知するための発光部である。ＩｒＤＡ受信部４１４は、赤外線により外部からの情報を受信するための赤外光の受光部である。表示機ＬＣＤ４１５は、上記デジタルカメラ１００から受信した写真画像を表示したり、操作部４１２の操作に応じてメニューや各種情報を表示するものである。なお、上記操作部４１２は、この表示機ＬＣＤ４１５の画面上にタッチキーとして構成することで、釦部材の個数を増やすことなく、多数の釦を設けたのと同様の効果が得られる。
【００２７】
プリンタ４２０は、上記デジタルカメラ１００から受信した写真画像を印刷するためのものである。場合によっては、このプリンタ４２０を備えないキオスク端末４００も構成できる。
【００２８】
そして、ＬＡＮコネクタ４３０は、ケーブルによりインターネット等のネットワーク６００に有線接続するためのものであり、ネットワークを介して管理サーバ３００と通信可能となっている。
【００２９】
また、アクセスポイント５００は、具体的には、図１（Ｂ）に示すように、無線ＬＡＮモジュール５１０とアンテナ５２０とから構成されている。
【００３０】
無線ＬＡＮモジュール５１０は、キオスク端末４００と有線接続され、アンテナ５２０を使用してデジタルカメラ１００とキオスク端末４００との間の無線通信を行うものである。
【００３１】
次に、このような構成の課金及び／又は認証システムの動作を説明する。  
デジタルカメラ１００とキオスク端末４００とで無線ＬＡＮを経由して通信を開始するにあたり、通信の初期設定を確立するのに必要な設定をデジタルカメラ１００及び／又はアクセスポイント５００側にしておく。これにより、デジタルカメラ１００からのアクセスポイント５００を介したキオスク端末４００との通信を起動することが可能になり、通信開始のキオスク端末４００側の処理量を低減することができる。
【００３２】
従来、デジタルカメラ１００とキオスク端末４００とをＵＳＢ（Ｕｎｉｖｅｒｓａｌ  Ｓｅｒｉａｌ  Ｂｕｓ）ケーブルで接続し、ネットワークの設定情報を交換して初期設定を簡単に登録し、その後、デジタルカメラ１００の電源を起動させ、通信をするといったことが行われている。
【００３３】
この初期設定を無線で行う場合、ＷＰＳ（Ｗｉ−Ｆｉ  Ｐｒｏｔｅｃｔｅｄ  Ｓｅｔｕｐ）と称される、無線ＬＡＮ機器の接続とセキュリティの設定を利用する。このＷＰＳは、無線ＬＡＮ関連の業界団体「Ｗｉ−Ｆｉアライアンス」が仕様を固め、２００７年１月から対応機器の認定を行っているものである。
【００３４】
ＷＰＳは、クライアント（子機）としてデジタルカメラ１００を無線ＬＡＮに登録するしくみを提供する。デジタルカメラ１００のクライアントの登録などを担う機器をレジストラと呼ぶ。このＷＰＳで用意されている仕組みは、プッシュボタン方式と、ＰＩＮ（ｐｅｒｓｏｎａｌ  ｉｄｅｎｔｉｆｉｃａｔｉｏｎ  ｎｕｍｂｅｒ）コード方式と、の２通りがある。
【００３５】
プッシュボタン方式では、アクセスポイント５００とクライアントのそれぞれに搭載した専用ボタンを押せば、ＥＳＳＩＤ（ｅｘｔｅｎｄｅｄ  ｓｅｒｖｉｃｅ  ｓｅｔ  ｉｄｅｎｔｉｆｉｅｒ）識別子とＷＰＡ２（Ｗｉ−Ｆｉ  Ｐｒｏｔｅｃｔｅｄ  Ａｃｃｅｓｓ  ２）暗号化方式のセキュリティ設定が自動的に完了する。この場合は、アクセスポイントがレジストラの役割を果たす。このプッシュボタン方式は、クライアントがゲーム機やプリンタのようにキーボードを装備しない機器に向く方式である。
【００３６】
一方、ＰＩＮコード方式では、クライアントに予め割り振られた４桁あるいは８桁の数字を、すでにネットワークに参加している機器からレジストラに登録する。この場合、ＥＳＳＩＤとＷＰＡ２の設定が施された状態でクライアントとアクセスポイント５００の接続が成立する。
【００３７】
ここで、ＩＥＥＥ８０２．１１の通信プロトコルについて説明を行うと、無線ＬＡＮにおけるネットワーク識別子の一つとしてＥＳＳＩＤを利用している。ＥＳＳＩＤは所謂ネットワーク名としての役割を果たす。
【００３８】
インフラストラクチャモードのネットワーク構成の場合、基本となる一つのアクセスポイントと、その配下の複数の無線ＬＡＮ端末で構成されるネットワークをＢＳＳ（Ｂａｓｉｃ  Ｓｅｒｖｉｃｅ  Ｓｅｔ）と呼ぶが、その際に使用する識別子をＢＳＳＩＤと呼ぶ。また、複数のＢＳＳで構成されるネットワークのことをＥＳＳと呼び、その際に使用される識別子をＥＳＳＩＤと呼ぶ（本明細書では、特に記述がない場合、ＳＳＩＤはこのＥＳＳＩＤを指しているものとする）。ＳＳＩＤの設定は、意図しないネットワークに繋がらないようにするため、又は繋ぐ端末あるいは機器を識別するためのものである。つまり、アクセスポイントと無線ＬＡＮ端末は同じＳＳＩＤを設定しないと接続が不可能になる。この機能を使ってある程度使用者を制限することができるが、アクセスポイントはビーコンと呼ばれるパケットデータを周期的に配信している。このビーコンパケットの中には、無線ＬＡＮ端末が接続に必要なアクセスポイントのＳＳＩＤ名が含まれているので、この電波が届く範囲の無線ＬＡＮ端末にアクセスポイントの存在を知らせている。また、ＳＳＩＤ名を知ることができるので、このビーコンのＳＳＩＤで接続先を設定し、下記の手順で自動的に接続を行う。
【００３９】
ビーコンのデータ構成は、データ部（要素ＩＤ、送信するコマンドの長さ、ＩＤ、フォーマットタイプなどの情報が含まれる）と、アプリケーション部（デバイスタイプ、ＵＵＩＤ、サービス参照ＵＲＬ、デバイス名、ＩＰアドレスが含まれる）と、からなる。
【００４０】
本実施形態では、ＰＩＮコード方式を採用し、アクセスポイント５００が、デバイス（デジタルカメラ）検出用の情報として上記ＰＩＮコードをＳＳＩＤとして上記アプリケーション部に含めたビーコンを、無線ＬＡＮモジュール５１０によりアンテナ５２０より発信するものとする。
【００４１】
図２は、本課金及び／又は認証システムにおけるデジタルカメラ１００と、携帯電話機２００と、管理サーバ３００と、キオスク端末４００と、アクセスポイント５００との間の通信プロセスを示す図である。なおここでは、ＰＩＮコード方式の場合を例に説明する。
【００４２】
まず、携帯電話機２００において、デジタルカメラ１００の接続要求を検出して、管理サーバ３００に接続要求を行うためのアプリケーションを起動しておく（ステップＳ１０）。
【００４３】
そして、デジタルカメラ１００に配置される所定の操作ボタンの操作に応答して（ステップＳ１２）、デジタルカメラ１００は、無線ＬＡＮモジュール１２５により、携帯電話機２００を探して、携帯電話機２００に無線ＬＡＮで接続要求を送信する（ステップＳ１４）。なお、無線ＬＡＮではなく、ＩｒＤＡ１２４を用いた赤外線通信や、Ｂｌｕｅｔｏｏｔｈ（登録商標）等の無線通信やＦｅｌｉｃａ（登録商標）等の電磁誘導通信で接続要求を行っても良いことは勿論である。
【００４４】
携帯電話機２００は、上記アプリケーションの起動後、図２に破線で示す時点、すなわち、携帯電話機２００が管理サーバ３００に対して接続要求を送信するよりも前に、管理サーバ３００のＵＲＬを取得しておく。これは、キオスク端末４００又はアクセスポイント５００からＦｅｌｉｃａで取得したり、所定操作でキオスク端末４００の表示機ＬＣＤ１２６に表示した管理サーバ３００のＵＲＬを２次元コード化したＱＲコードを読み取って取得したりすることで行う。そして、携帯電話機２００は、上記デジタルカメラ１００からの接続要求の受信に応答して、インターネット等のネットワーク６００を介して、管理サーバ３００に対して接続要求を送信する（ステップＳ１６）。
【００４５】
管理サーバ３００は、上記携帯電話機２００からの接続要求の受信に応答して、課金の可否判断及び／又は上記携帯電話機２００の認証処理の可否判断を行う（ステップＳＳ１８）。このとき、デジタルカメラ１００を特定するためのＰＩＮコードを携帯電話機２００のダイヤル数値ボタンを使用して入力して、携帯電話機２００から管理サーバ３００に送信し、管理サーバ３００では、例えば、携帯電話機２００の端末番号をＩＤ、ＰＩＮコードをパスワードとして、キオスク端末４００が提供する有料サービスへの会員登録状況を判定して課金の可否判断を行ったり、携帯電話機２００の認証処理の可否判断を行う。
【００４６】
そして、この課金の可否判断及び／又は上記携帯電話機２００の認証処理の可否判断の判断結果を、管理サーバ３００より、携帯電話機２００に送信し（ステップＳ２０）、携帯電話機２００は、その判断結果の受信に応答して、その判断結果の表示、例えば「課金ＯＫ」等の表示を行う（ステップＳ２２）。なお、この判断結果の送信／受信及び表示は省略しても構わない。
【００４７】
可否判断及び／又は上記携帯電話機２００の認証処理の可否判断において、課金を行うと判断した場合及び／又は携帯電話機２００の認証処理を行う（即ち、認証ＯＫ）と判断した場合には、管理サーバ３００は、ネットワーク６００を介して、キオスク端末４００に接続要求を行う（ステップＳ２４）。このとき、上記携帯電話機２００から受信したＰＩＮコードもキオスク端末４００に送信する。
【００４８】
キオスク端末４００のサービス実行部４１１は、ＬＡＮコネクタ４３０によって上記接続要求を受信すると、それに応答して、アクセスポイント５００との間で通信接続の確立を行う（ステップＳ２６）。このとき、上記管理サーバ３００から受信したＰＩＮコードもアクセスポイント５００に送信する。
【００４９】
そして、キオスク端末４００とアクセスポイント５００との間で通信が確立したならば、アクセスポイント５００は、デジタルカメラ１００との自動接続モードに移行し（ステップＳ２８）、アクセスポイント５００とデジタルカメラ１００との間で無線接続の確立を行う。
【００５０】
なお、ここでは、アクセスポイント５００を使用する例を説明するが、キオスク端末４００が無線通信機能を備える場合には、アクセスポイント５００を介することなく、上記キオスク端末４００が、上記管理サーバ３００からの接続要求の受信に応答して、デジタルカメラ１００との間で通信接続を確立するようにしても良いことは勿論である。
【００５１】
自動接続モードにおいて、アクセスポイント５００は、マルチキャストで通信接続設定要求を行う（ステップＳ３０）。これは、ＩＥＥＥ８０２．１１シーケンスを利用してビーコンにネットワーク参加を開始するための情報（キオスク端末４００から受信したＰＩＮコード）を含めて送信することにより行う。
【００５２】
自身のＰＩＮコードを含むビーコンを無線ＬＡＮモジュール１２５で受信すると、デジタルカメラ１００のサービス実行部１２１は、無線ＬＡＮモジュール１２５により暗号キー要求をアクセスポイント５００に対して送信する（ステップＳ３２）。
【００５３】
アクセスポイント５００は、この暗号キー要求の受信に応答して、無線通信を行うための第１の暗号キーをデジタルカメラ１００に送信し、更に、通信のセキュリティを確保するための、無線通信設定に利用される無線接続設定情報（暗号キー、暗号方法）を第２の暗号キーとして生成して、その第２の暗号キーを上記第１の暗号キーを使って暗号化して、デジタルカメラ１００に送信する（ステップＳ３４）。
【００５４】
デジタルカメラ１００のサービス実行部１２１は、無線ＬＡＮモジュール１２５による上記第１の暗号キー及び第２の暗号キーの受信に応答して、無線ＬＡＮモジュール１２５により自動接続モード終了要求をアクセスポイント５００に対して送信する（ステップＳ３６）。そして、サービス実行部１２１は、受信した第２の暗号キーを先に受信した第１の暗号キーにより復元し、得られた無線接続設定情報（暗号キー、暗号方法）を、ユーザが見ることができないメモリ領域に格納して、接続設定が終了する（ステップＳ３８）。
【００５５】
また、アクセスポイント５００は、上記自動接続モード終了要求の受信に応答して、自動接続モードを終了する（ステップＳ４０）。
【００５６】
以上のようなデジタルカメラ１００とアクセスポイント５００との間の無線通信の自動設定処理が完了した後は、デジタルカメラ１００及びアクセスポイント５００は無線ＬＡＮモードとなり（ステップＳ４２，Ｓ４４）、デジタルカメラ１００から、無線ＬＡＮを経由して、アクセスポイント５００を介したキオスク端末４００との通信を起動する起動ステップ（例えば、ＨＴＴＰ（Ｈｙｐｅｒｔｅｘｔ  ｔｒａｎｓｆｅｒ  ｐｒｏｔｏｃｏｌ）による通信プロセスの部分）と、デジタルカメラ１００から、無線ＬＡＮを経由して、キオスク端末４００と通信を行う通信ステップと、を順に実行して、デジタルカメラ１００内部に記録されている写真を閲覧などアプリケーションを実行する。これは、上記無線通信自動設定処理を行った後であれば、何時でも実行することができる。
【００５７】
利用されるサービスとしては、例えば、デジタルカメラ１００の記憶媒体１４０に記憶された写真画像のプリントや保管等がある。この場合には、キオスク端末４００のサービス実行部４１１は、アクセスポイント５００を介してデジタルカメラ１００に対して、記憶媒体１４０に記憶されている写真画像の画像ファイルの内、予め設定されている所定の条件（ファイル情報（更新時間や作成時間、アクセス時間、ファイル名）や画像ファイルのヘッダに含まれている属性情報（画像サイズ、撮影情報、サムネイル画像、等）に合致する画像ファイルのファイル情報と、その画像ファイルのヘッダに含まれているサムネイル画像データとを順次転送する転送要求を行う。デジタルカメラ１００はこの転送要求を受けて、上記所定の条件に合致するデータをアクセスポイント５００を介してキオスク端末４００に送信し、キオスク端末４００は、当該データを受信する。
【００５８】
その後、ユーザは、キオスク端末４００に送信されたサムネイル画像により印刷や管理サーバ３００への保管を望む写真画像データを検索した後、キオスク端末４００を操作してその画像データをアクセスポイント５００を介してデジタルカメラ１００からキオスク端末４００に転送して、確認の上、管理サーバ３００への保管や、当該キオスク端末４００のプリンタ４２０又は管理サーバ３００が提供するプリントサービスによる印刷、等を実施することができる。
【００５９】
そして、このようなサービス利用の終了が指示されたならば、デジタルカメラ１００は、サービス利用を終了して、アクセスポイント５００を介してキオスク端末４００に対してサービスの終了を送信する。
【００６０】
キオスク端末４００のサービス実行部４１１は、このサービス終了の受信に応答して、当該サービスが有料サービスであれば、ユーザのサービス利用量に基づく課金情報をネットワーク６００を介して管理サーバ３００に送信する。
【００６１】
そして、管理サーバ３００では、その課金情報の受信に応答して、上記携帯電話機２００の端末番号による既存の課金処理を実行して、利用料金を徴収することとなる。
【００６２】
以上のように、本一実施形態によれば、携帯端末である携帯電話機２００を用いてキオスク端末４００のサービスを利用する際の課金及び／又は携帯電話機２００の認証を、管理サーバ３００を用いて管理することが可能な課金及び／又は認証管理方法を提供することができる。
【００６３】
これにより、キオスク端末４００を利用して安価に画像データを送信することが可能となる。
【００６４】
また、有料サービスに対する課金も、面倒な操作無く行うことができる。
【００６５】
さらに、携帯電話機２００が認証ＯＫとならない限り、デジタルカメラ１００との無線通信が行えないので、デジタルカメラ１００の認証処理を省略することができる。
【００６６】
以上、一実施形態に基づいて本発明を説明したが、本発明は上述した実施形態に限定されるものではなく、本発明の要旨の範囲内で種々の変形や応用が可能なことは勿論である。
【００６７】
例えば、情報端末としてデジタルカメラを例に説明したが、ＰＤＡ等の他の携帯可能な端末であれば、どのようなものでも良い。また、写真画像データだけでなく、音楽データやゲームデータ等、サービス対象のデータの種類は問わない。
【００６８】
また、管理サーバ３００は、ネットワークプリントやネットワークストレージの管理サーバだけでなく、課金管理機能を持たないが認証管理機能が必要な自宅ＰＣ等であっても構わない。
【符号の説明】
【００６９】
１００…デジタルカメラ、  １１０…カメラ機能部、  １１１…撮像モジュール、  １１２…画像エンジンＬＳＩ、  １２０，４１０…情報端末部、  １２１，４１１…サービス実行部、  １２２，４１２…操作部、  １２３，４１３…ＬＥＤ、  １２４…ＩｒＤＡ、  １２５，５１０…ＬＡＮモジュール、  １２６，４１５…表示機ＬＣＤ、  １３０，５２０…アンテナ、  １４０…記憶媒体、  １５０…デジタル／アナログ変換機、  １６０…スピーカ、  １７０，４３０…ＬＡＮコネクタ、  ２００…携帯電話機、  ３００…管理サーバ、  ４００…キオスク端末、  ４１４…ＩｒＤＡ受信部、  ４２０…プリンタ、  ５００…アクセスポイント、  ６００…ネットワーク。
【図１】
2010250429.tif 000003
【図２】
2010250429.tif 000004